(57)【要約】【課題】燃料の取扱いが容易な燃料電池の発電方法を提供する。【解決手段】透過膜４により、正極部と、水素吸蔵合金を含んでなる負極５及びこの負極５に隣接する負極室７とを有する負極部と、に区分された燃料電池１の発電方法であって、（ａ）負極室７に水素燃料を供給し、水素吸蔵合金に水素を吸蔵させる水素吸蔵工程と、（ｂ）水素吸蔵工程後に負極室７内の水素燃料を排出する水素燃料排出工程と、（ｃ）水素燃料排出工程後に、負極室７に透過膜４を加湿する不凍液（加湿液）を供給する加湿液供給工程と、を備えたことを特徴とする燃料電池の発電方法である。【選択図】  図１
2004253244.tif 000002
【特許請求の範囲】
【請求項１】
透過膜により、正極部と、水素吸蔵合金を含んでなる負極及び当該負極に隣接する負極室とを有する負極部と、に区分された燃料電池の発電方法であって、
（ａ）前記負極室に水素燃料を供給し、前記水素吸蔵合金に水素を吸蔵させる水素吸蔵工程と、
（ｂ）前記水素吸蔵工程後に、前記負極室内の水素燃料を排出する水素燃料排出工程と、
（ｃ）前記水素燃料排出工程後に、前記負極室に前記透過膜を加湿する加湿液を供給する加湿液供給工程と、
を備えたことを特徴とする燃料電池の発電方法。
【請求項２】
前記加湿液は不凍液であることを特徴とする請求項１に記載の燃料電池の発電方法。
【発明の詳細な説明】
【０００１】
【発明の属する技術分野】
本発明は、燃料電池の発電方法に係り、更に詳しくは、水素吸蔵合金を含んでなる負極を有する燃料電池の発電方法に関するものである。
【０００２】
【従来の技術】
燃料電池は、負極に燃料を、正極に空気などの酸化剤をそれぞれ連続的に供給して化学反応を行わせ、自由エネルギー変化を直接電気エネルギーに変換して発電する装置である。
【０００３】
従来の燃料電池の概略について、図３を参照して説明する。図３は、従来の燃料電池の構成を模式的に示す側方断面図である。
【０００４】
燃料電池１００は、負極１０５及び正極１０６を主要部として構成されている。負極１０５と正極１０６との間には、電解質１１６として希硫酸水溶液やリン酸水溶液等が満たされている。電解質１１６の種類により、燃料電池１００は、酸性電解質燃料電池、アルカリ性燃料電池、固体電解質燃料電池、溶融塩燃料電池などと称される。
【０００５】
負極１０５に隣接する負極室１０７には、水素燃料が貯留された水素燃料タンク１２１から、ポンプ１２１ｂ、配管１２１ａ、１２１ｃ、負極室供給口１０９を介して水素燃料が供給される。また、水素燃料の廃液は、負極室排出口１１０、配管１２７ａ、１２７ｂ、バルブ１２７を経由して回収タンク１２３に回収される。
一方、正極１０６に隣接する正極室１０８には、燃料電池１００の外部から正極室供給口１１１を経て、酸素を含む空気などの酸化剤が供給される。そして、過剰の酸化剤と反応生成水（Ｈ２Ｏ）等は正極室排出口１１２より外部に排出される。
【０００６】
水素燃料としては、水素、メタン、ガソリン等の炭化水素、メチルアルコール等の気体又は液体が使用され、酸化剤としては、酸素を含む空気等の気体が主として使用されている。
燃料電池１００は、水素燃料の種類により、水素一酸素燃料電池、メタン燃料電池、ヒドラジン燃料電池、メタノール燃料電池などと称されている。
【０００７】
このような状態で、燃料電池１００の負極１０５と正極１０６がそれぞれ接続した電子機器１５０の回路１５１を閉じると、負極１０５から回路１５１を通って正極１０６に電子（ｅ−）が移動し発電が開始する。
燃料電池の発電に伴い消費される水素燃料は、ポンプ１２１ｂにより水素燃料タンク１２１から負極１０５に連続的に供給される。したがって、燃料電池１００は連続的に発電する。
【０００８】
このような燃料電池に関連して、水素吸蔵合金を燃料電池の水素供給源として利用した「液体燃料電池」が知られている（特許文献１参照）。
【０００９】
【特許文献１】
特開２００２−２４６０３９号公報（第３−５頁、第１図、第２図）
【００１０】
【発明が解決しようとする課題】
しかしながら、燃料電池を発電するには、連続的に水素を含む水素燃料を供給しなければならず、燃料の取扱いに困難さが残るという問題が生じていた。
【００１１】
そこで本発明は、燃料の取扱いが容易な燃料電池の発電方法を提供することを課題とする。
【００１２】
【発明を解決するための手段】
本発明者らは、燃料電池の水素供給源及び酸素供給源について、鋭意研究を重ねた結果、負極に水素吸蔵合金を内蔵し、この負極に予め水素を吸蔵させておくことにより、燃料電池の小型が可能であることを見出した。また、水素供給源として金属水素錯化合物のアルカリ性水溶液あるいは有機水素錯化合物溶液を使用することにより、燃料を負極に液体状で供給し充填可能であることを見出した。そして、これらの知見に基づき、本発明を完成するに至った。
【００１３】
すなわち、前記課題を解決するための手段として、請求項１に係る発明は、透過膜により、正極部と、水素吸蔵合金を含んでなる負極及び当該負極に隣接する負極室とを有する負極部と、に区分された燃料電池の発電方法であって、（ａ）前記負極室に水素燃料を供給し、前記水素吸蔵合金に水素を吸蔵させる水素吸蔵工程と、（ｂ）前記水素吸蔵工程後に、前記負極室内の水素燃料を排出する水素燃料排出工程と、（ｃ）前記水素燃料排出工程後に、前記負極室に前記透過膜を加湿する加湿液を供給する加湿液供給工程と、を備えたことを特徴とする燃料電池の発電方法である。
【００１４】
このような燃料電池の発電方法によれば、燃料電池の負極室に水素燃料を供給し、負極の水素吸蔵合金に水素を吸蔵した（水素吸蔵工程）後に、負極室内の水素燃料を排出する（水素燃料排出工程）。したがって、水素吸蔵合金に吸蔵されていない水素を含む水素燃料は、燃料電池の外部に排出されるので、不要な水素が残存することなく燃料電池を発電することができる。また、燃料電池の発電中に連続的に水素燃料を供給する必要もない。
さらに、水素燃料排出工程後に、負極燃料室に加湿液を供給する（加湿液供給工程）ことにより、透過膜の湿潤状態を好適に保持して燃料電池を発電させることができる。
【００１５】
請求項２に係る発明は、前記加湿液は不凍液であることを特徴とする請求項１に記載の燃料電池の発電方法である。
【００１６】
このような燃料電池の発電方法によれば、加湿液は不凍液であるので、低温で燃料電池を発電させることができる。
【００１７】
【発明の実施の形態】
以下、本発明の一実施形態について、図１を参照して詳細に説明する。なお、本発明が以下の実施形態に限定されることはない。
図１は、本発明に係る燃料電池の発電方法を適用する一燃料電池及び一燃料供給装置の構成を模式的に示す側方断面図である。さらに詳しくは、本発明に係る燃料電池の発電方法を適用する燃料電池１を搭載したままモバイル電子機器５０を、水素燃料供給装置２０に設置した状況を模式的に示す側方断面図である。
【００１８】
（燃料電池）
燃料電池１は、着脱自在にモバイル電子機器５０に搭載されるものであり、水素燃料の供給時には、水素燃料供給装置２０に取り付けられ水素燃料が供給される。一方、燃料電池１の使用時、すなわち燃料電池１が搭載されたモバイル電子機器５０の使用時には、水素燃料供給装置２０から独立して使用可能なものである。
【００１９】
燃料電池１は、中空部を有するケーシング２と、この中空部を負極室７と正極室８との２つに区分する膜電極複合体３を主要部として構成されている。膜電極複合体３は、板状の透過膜４を負極５と正極６とで挟持して構成されている。
また、説明の都合上、１つの膜電極複合体３（ユニットセルとも呼ばれる）を有する燃料電池１としたが、その他に複数の膜電極複合体３設け、これらを直列又は並列に接続し、燃料電池の出力増加あるいは持続性の向上を図るようにしてもよい。
なお、負極５と負極室７とが負極部に相当し、正極６と正極室８とが正極部に相当する。
【００２０】
透過膜４は、発電時に負極５で生成するプロトン（Ｈ＋）を透過し、且つ正極６で生成する水酸化物イオン（ＯＨ−）を透過しない陽イオン選択性を有する。また、透過膜４は、後記するように正極で生成する水酸化物イオン（ＯＨ−）等に対して耐食性を有する材料で形成されることが好ましい。このような条件を考慮すると、透過膜４としてはパーフルオロスルホン酸型の透過膜が好適に使用可能であり、例えばナフィオン（Ｒ）（デュポン株式会社製）等が挙げられ、容易に入手することができる。
【００２１】
ケーシング２は、負極５、正極６間で漏電しないように絶縁性を有する材料から形成されることが好ましく、このような材料としては、例えば、絶縁性セラミックス、合成樹脂等が挙げられる。
また、ケーシング２には、燃料電池１の外部から負極室８に水素燃料を供給する負極室供給口９と、負極室排出口１０と、外部から正極室８に空気（酸化剤）を導入する正極室導入口１１と、正極室排出口１２とが、それぞれ形成されている。負極室供給口９、負極室排出口１０、正極室導入口１１及び正極室排出口１２は、使用状況に応じて、例えばキャップ等（図示しない）により開閉自在となっている。
【００２２】
負極５は、水素吸蔵合金又はその水素化物を含んで形成されており、負極５内に水素を吸蔵可能となっている。
このように負極５に、水素のみを吸蔵する水素吸蔵合金又はその水素化物を使用することにより、小体積で大量の水素を吸蔵可能となる。
【００２３】
水素吸蔵合金又はその水素化物としては、水素を可逆的に吸蔵、放出し得るものであればその種類に特に制限はなく、例えば、Ｍｇ２Ｎｉ合金、Ｍｇ２ＮｉとＭｇとの共晶合金のような、Ｍｇ２Ｎｉ系合金、ＺｒＮｉ２系合金、ＴｉＮｉ２系合金などのラベス相系ＡＢ２型合金、ＴｉＦｅ系合金のようなＡＢ型合金、ＬａＮｉ５系合金のようなＡＢ５型合金、ＴｉＶ２系合金のようなＢＣＣ型合金が挙げられ、これらの中から任意に選択して使用することができる。
【００２４】
負極５の形状は、本実施形態では特に限定されることはなく、目的に応じて種々の形状、例えば板状、シート状、管状、円筒状、方体状、球状などに変更してよい。また、発泡体状やコロイド状、粉体状に形成してもよい。なお、後記する正極６についても同様である。
【００２５】
正極６は、空気（酸化剤）の透過性を有し、正極６の表面で空気中の酸素の還元反応が進行するように触媒が担持され、且つ導電性を有する材料から形成されている。このような材料として、例えば炭素、白金を分散した炭素や鉄、ニッケル、クロム、銅、白金、バラジウム等の金属やそれらの合金が使用可能である。このなかでも、発電効率や耐久性がよく、低コストという点でニッケル又はニッケル、クロム合金の多孔体、例えば粒状焼結体や発泡体を基材とし、その表面に白金、バラジウムのような貴金属をめっきしたものが好ましい。
【００２６】
また、負極５にはマイナス端子１３、正極６にはプラス端子１４がそれぞれ設けられており、マイナス端子１３は燃料電池１が搭載されるモバイル電子機器５０のマイナス電源受端子に、プラス端子１４はモバイル電子機器５０のプラス電源受端子にそれぞれ接続可能となっている。
【００２７】
モバイル電子機器５０は、本実施形態では携帯用の電子機器であり、例えば携帯電話、ノートパソコン等である。
モバイル電子機器５０は、内部に燃料電池１と接続する内部回路５１を備えている。内部回路５１は、ＣＰＵ、ＲＯＭ、液晶、スピーカー等の負荷５２とスイッチ５３を有している。
【００２８】
（水素燃料供給装置）
次に、燃料電池１に水素燃料を供給する水素燃料供給装置２０について説明する。
【００２９】
水素燃料供給装置２０は、水素燃料が貯蔵された水素燃料タンク２１と、不凍液が貯蔵された不凍液タンク２２と、回収タンク２３を主要部として構成されている。
【００３０】
水素燃料タンク２１の下流側は、配管２１ａ、ポンプ２１ｂ、配管２１ｃを介して三方バルブ２４に連通している。
不凍液タンク２２の下流側は、配管２２ａ、ポンプ２２ｂ、配管２２ｃを介して三方バルブ２４に連通している。
三方バルブ２４の下流側は、配管２４ａが設けられており、燃料電池１が水素燃料供給装置２０に取り付けられた際には、負極室供給口９を介して負極室７を連通するようになっている。
したがって、ポンプ２１ｂ、ポンプ２２ｂを適宜稼動して、三方バルブ２４を切り換えることにより、水素燃料、不凍液を負極室７に供給可能となっている。
【００３１】
水素燃料は、負極５の水素吸蔵合金等に吸蔵させる水素を含むものである。本実施形態では水素燃料としては、金属水素錯化合物がアルカリ性水溶液に溶解したものを使用した。但し、本発明はこれに限定されることはない。
【００３２】
金属水素錯化合物は、例えば次の一般式（１）、または一般式（２）で示されるものである。
ＭａＭｂＨ４−ｎＲｎ  …（１）
ＭａＭｂ（ＭｃＨ４−ｎＲｎ）２  …（２）
ここで、式中のＭａはアルカリ金属、Ｍｂはアルカリ土類金属又は亜鉛、Ｍｃはホウ素、アルミニウム又はガリウムであり、Ｒは炭化水素基、ヒドロカルビルオキシ基又はアシルオキシ基をそれぞれ示す。また、ｎは０〜３の整数である。
このような金属水素錯化合物としては、例えば、水素化ホウ素化ナトリウム（ＮａＢＨ４）、水素化アルミニウムリチウム（ＬｉＡｌＨ４）、水素化ホウ素化亜鉛［Ｚｎ（ＢＨ４）２］、水素化ホウ素化カルシウム［Ｃａ（ＢＨ４）２］等が挙げられる。
【００３３】
アルカリ性水溶液を調整するために、水に添加されるアルカリ性物質としては、水酸化リチウム、水酸化ナトリウム、水酸化カリウム等のアルカリ金属化合物や、テトラメチルアンモニウムヒドロキシド、テトラエチルアンモニウムヒドロキシド等の第四アルキルアンモニウム化合物等から適宜選択して使用可能である。
また、アルカリ性物質を溶解する水に、適宜アルコール類等の水混和性溶媒を混合し、凝固点を低下させてもよい。
【００３４】
このように金属水素錯化合物をアルカリ性水溶液に溶解し液体の水素燃料を使用することにより、気体の水素燃料と比較して取扱性などを向上することができる。
【００３５】
不凍液は、水を主成分とし、後記するように水素吸蔵後負極室７に充填され透過膜４を湿潤状態とし、燃料電池１の発電に伴い負極５で生成するプロトン（Ｈ＋）を搬送するためのものである。本実施形態では、水にアルコール、エチレングリコール等の氷点降下剤を添加したものを使用した。
【００３６】
回収タンク２３の上流側には、上流に向かって、配管２７ｂ、バルブ２７、配管２７ａが設けられている。配管２７ａは、水素燃料供給装置２０に燃料電池１が取り付けられた際には、負極室排出口１０を介して負極室に連通するようになっている。したがって、燃料電池１の負極室排出口１０から、水素燃料または不凍液等を回収タンク２３に排出可能となっている。
【００３７】
このような燃料電池１によれば、水素燃料供給時には水素燃料供給装置２０に取り付けて水素燃料を供給し、一方燃料電池１の使用時、すなわち燃料電池１が搭載されたモバイル電子機器５０の使用時には、水素燃料供給装置２０から独立することができる。したがって、従来の燃料電池のように水素燃料タンク、ポンプ等を設ける必要はない。よって、燃料電池１自体を小型化でき、これに伴ってモバイル電子機器５０も小型化できるので携帯性が飛躍的に向上する。
【００３８】
続いて、本発明に係る燃料電池の発電方法について説明する。
燃料電池の発電方法は、（ａ）水素吸蔵工程と、（ｂ）水素燃料排出工程と、（ｃ）不凍液供給工程、（ｄ）発電工程とを備えるものである。なお、発電後、水素が空の燃料電池１について、水素を吸蔵させる時点から順に説明する。
【００３９】
（ａ）水素吸蔵工程
図１に示すように、配管２４ａが負極室供給口９、配管２７ａが負極室排出口１０にそれぞれ接続するように、水素燃料を供給する燃料電池１を水素燃料供給装置２０に設置する。
そして、バルブ２７を開いて、負極室７に残っている不凍液を配管２７ａ等を介して回収タンク２３に排出する。
排出後、バルブ２７を閉じる。そのあと、三方バルブ２４を配管２１ｃと配管２４ａとが連通するように操作する。それから、ポンプ２１ｂを稼動して水素燃料タンク２１から負極室７に水素燃料を供給する。
【００４０】
水素燃料が負極室７に供給されると、負極５の水素吸蔵合金等に水素が吸蔵される。負極室７に供給された水素燃料の活性が低下し、水素の発生能が低下した場合には、一旦バルブ２７を開き、この活性が低下した水素燃料を回収タンク２３に排出し、新しい水素燃料を負極室７に供給する。
このような操作を繰り返して、負極５の水素吸蔵合金に所望量の水素を吸蔵させた後、ポンプ２１ｂの稼動を停止して水素吸蔵工程を終了する。
【００４１】
（ｂ）水素燃料排出工程
負極５に水素吸蔵後、バルブ２７を開き、負極室７に最後に供給した水素燃料を回収タンク２３に排出する。
【００４２】
（ｃ）不凍液（加湿液）供給工程
その後、三方バルブ２７を配管２２ｃと配管２４ａとが連通するように操作する。そして、ポンプ２２ｂを稼動し、不凍液を不凍液タンク２２から負極室７に供給する。
なお、負極室７に供給した不凍液は、前記したように透過膜４を保湿し、燃料電池１の発電の開始と共に負極５で生成するプロトン（Ｈ＋）の移動を容易にするための機能を奏する。
【００４３】
（ｄ）発電工程
不凍液供給後、燃料電池１（すなわち、燃料電池１を搭載したモバイル電子機器５０）を水素燃料供給装置２０から取り外し、負極室供給口９及び負極室排出口１０から不凍液が溢れない様にキャップ（図示しない）を取り付ける。
そして、モバイル機器５０のスイッチ５３をＯＮにすると内部回路５１が連通し、燃料電池１の発電が開始する。
【００４４】
燃料電池１の発電が開始すると、負極５では、次式（３）のように、負極の水素吸蔵合金に吸蔵された分子状の水素から、２個のプロトン（Ｈ＋）と２個の電子（ｅ−）が生成する。
Ｈ２→２Ｈ＋＋２ｅ−  …（３）
【００４５】
プロトン（Ｈ＋）は、湿潤状態にある透過膜４内を正極６側に移動する。電子（ｅ−）は、負極５からマイナス端子１３、モバイル電子機器５０の内部回路５１、プラス端子１４を経由して正極６に移動する。
【００４６】
一方、正極６では、空気（酸化剤）中の（活性）酸素が、移動してきた電子（ｅ−）と水（Ｈ２Ｏ）と反応して、次式（４）に示すように水酸化物イオン（ＯＨ−）を生成する。
Ｏ２＋２Ｈ２Ｏ＋４ｅ−→４ＯＨ−  …（４）
【００４７】
この水酸化物イオン（ＯＨ−）は、透過膜４内を移動してきたプロトン（Ｈ＋）と反応し、次式（５）に示すように、水（Ｈ２Ｏ）が生成する。生成した水（Ｈ２Ｏ）は、ケーシング２の正極室排出口１２を経由して燃料電池１の外部に排出される。
４ｅ−＋４Ｈ＋＋Ｏ２→２Ｈ２Ｏ…（５）
【００４８】
負極５、正極６において、このような反応が連続的に起こることにより、燃料電池１は好適に発電する。
【００４９】
燃料電池の発電により、負極５の水素吸蔵合金に吸蔵された水素がなくなった場合には、再度、燃料電池１を水素燃料供給装置２０に取り付けて、水素を負極５に吸蔵することにより、燃料電池１を繰り返して使用できる。また、燃料電池１を構成する各要素は、劣化しにくく耐久性を有するので、例えば、２００回以上、性能低下することも無く、水素燃料の吸蔵、発電を繰り返すことができる。
【００５０】
このような燃料電池の発電方法によれば、負極５に水素を吸蔵後、水素燃料を排出することにより、不要な水素燃料が燃料電池内に残存することなく発電することができるので、水素燃料の取扱いは容易となる。
【００５１】
また、このような燃料電池の発電方法によれば、水素燃料として金属水素錯化合物が溶解したアルカリ性水溶液を使用して水素を負極５に吸蔵することより、連続的に水素燃料を供給する必要がなく、燃料電池の取扱いは容易となる。
さらに、水素吸蔵後に負極室７に不凍液を供給することにより、負極５側を安全性の高い状態及び無公害性の高い状態で発電することができる。
一方、正極６側での酸化剤として大気中の酸素を用いることにより、特別な酸化剤の供給装置を設けることなく発電することができる。
【００５２】
【実施例】
続いて、実施例に基づき本発明をさらに詳細に説明する。但し、本発明が以下の実施例に限定されることはない。
【００５３】
燃料電池の負極は、ニッケル多孔質材料（平均細孔径４００μｍ、気孔率９９％）の板状体（１００×７０×１．１５ｍｍ）を基材とし、これに水素吸蔵合金（ＬａＮｉ４．７Ａｌ０．３）の粉末（平均粒子径７５μｍ）７．５ｇと水１．５ｇとの混合物を塗り込み、乾燥した後、ローラプレスにより１０ｔｏｎ／ｍの荷重で圧縮成形してプレート状電極（４５×７０×１ｍｍ）を製造したものを負極とした。
正極は、負極に使用したニッケル多孔質材料の板状体（４７５×７００×１．１５ｍｍ）を４枚重ねたものを正極とした。
【００５４】
そして、１リットルのビーカ（ケーシング）中に、負極と正極を２ｍｍ間隔で平行に対向させて配置した。そのあと、負極と正極の間をナフイオン（Ｒ）ＮＥ−４２４（デュポン株式会社製）により隔離した。
【００５５】
次に、負極室にＮａＢＨ４を３０質量％の濃度で溶解したＮａＯＨ溶液（水素燃料）を充填し、負極を構成する水素吸蔵合金電極に水素を十分吸蔵させた。
その後、負極に供給したＮａＯＨ溶液（水素燃料）を排出し、同量の水を供給した。しかる後、負極と正極の間を導線で連結し、発生電圧と発生電流を測定した。測定結果を図２に示す。
【００５６】
図２より、本発明に係る燃料電池の発電方法によれば、燃料電池は好適に発電したことがわかる。
【００５７】
以上、本発明の好適な実施形態について一例を説明したが、本発明は前記実施形態に限定されず、本発明の趣旨を逸脱しない範囲で、例えば以下のような適宜変更が可能である。
【００５８】
前記した実施形態では、燃料電池１をモバイル電子機器５０に搭載したまま水素燃料を供給することとしたが、これに限定されることはなく、その他に例えば、燃料電池１をモバイル電子機器５０から取り外した状態で、水素燃料供給装置２０に設置して水素燃料を供給してもよい。この場合、複数の燃料電池１にまとめて水素燃料を供給するようにしてもよい。
【００５９】
前記した実施形態では、本発明に係る燃料電池の発電方法をモバイル電子機器５０に搭載される燃料電池１に適用したが、本発明の適用範囲はこれに限定されず、その他に例えば自動車用、家庭用等の据付型の大型の燃料電池に適用してもよい。
【００６０】
前記した実施形態では、モバイル電子機器５０に着脱自在に搭載される燃料電池１に本発明に係る燃料電池の発電方法を適用したが、その他に例えば、モバイル電子機器５０に一体的に搭載される燃料電池１に適用してもよい。このように燃料電池１が一体的に搭載される場合でも、使用時には水素燃料タンク等を必要とせずモバイル電子機器５０を小型化できるだけでなく、連続的に水素燃料を供給する必要がないので取り扱いが容易となる。
【００６１】
【発明の効果】
本発明によれば、燃料の取扱いが容易な燃料電池の発電方法を提供することができる。
【図面の簡単な説明】
【図１】本発明に係る燃料電池の発電方法を適用した一燃料電池及び一燃料供給装置の構成を模式的に示す側方断面図である。
【図２】本発明に係る燃料電池の発電方法を適用した一燃料電池の電圧−電流との関係を示した図面である。
【図３】従来の燃料電池の構成を模式的に示す側方断面図である。
【符号の説明】
１        燃料電池
２        ケーシング
３        膜電極複合体
４        透過膜
５        負極
６        正極
７        負極室
８        正極室
２０      水素燃料供給装置
２１      水素燃料タンク
２１ｂ    ポンプ
２２      不凍液タンク
２２ｂ    ポンプ
２３      回収タンク
２４      三方バルブ
２７      バルブ
５０      モバイル電子機器
【図１】
2004253244.tif 000003
【図２】
2004253244.tif 000004
【図３】
2004253244.tif 000005